【手続補正書】
【提出日】平成25年11月20日(2013.11.20)
【手続補正１】
【補正対象書類名】特許請求の範囲
【補正対象項目名】全文
【補正方法】変更
【補正の内容】
【特許請求の範囲】
【請求項１】
背景シートが載置される背景シート載置部材と、  前記背景シート載置部材が摺動可能な基台と、  前記背景シート載置部材の摺動位置上部で前記基台に保持される押圧部材と、  前記背景シート載置部材の上方で、初期位置における前記背景シート載置部材の摺動方向にある押圧部材の後方位置に配置される透明シート載置部材と、を備え、  前記押圧部材は、摺動する前記背景シート載置部材との間隔を前記背景シートと前記透明シートとを圧着可能な一定の間隔で前記基台に保持される玩具。
【請求項２】
前記基台は、前記背景シート載置部材が摺動可能な一対のレールを有し、前記押圧部は、前記一対のレールを跨いで前記基台に保持される請求項１に記載の玩具。
【請求項３】
前記背景シート載置部材は、前記背景シートの保持位置を少なくとも１サイズのシートについて特定する位置決め部を備える請求項１又は２のいずれかに記載の玩具。
【請求項４】
前記背景シート上への前記透明シートの供給位置が、前記押圧部材の直前位置で前記位置決め部の位置である請求項３に記載の玩具。
【請求項５】
前記背景シート載置部材は、摺動方向の先端位置に取っ手を備える請求項１〜４のいずれか１項に記載の玩具。
【請求項６】
前記押圧部材の支軸は、初期位置の前記背景シート載置部材の取っ手より摺動方向の後端側に配置される請求項５に記載の玩具。
【請求項７】
前記押圧部材には、上方へ突出した保持レバーが備えられる請求項１〜６のいずれか１項に記載の玩具。
【手続補正２】
【補正対象書類名】明細書
【補正対象項目名】発明の名称
【補正方法】変更
【補正の内容】
【発明の名称】玩具
【手続補正３】
【補正対象書類名】明細書
【補正対象項目名】０００１
【補正方法】変更
【補正の内容】
【０００１】  本発明は、透明シートと背景シートとを圧着する玩具に関する。
【手続補正４】
【補正対象書類名】明細書
【補正対象項目名】０００５
【補正方法】変更
【補正の内容】
【０００５】  従って、本発明は、シールや切り抜き等が挟み込まれた場合も、正確な位置合わせができ、常に安定的に、かつ、容易に、透明シートと背景シートとを圧着できる玩具を提供することを目的とする。
【手続補正５】
【補正対象書類名】明細書
【補正対象項目名】０００６
【補正方法】変更
【補正の内容】
【０００６】  本発明の玩具は、背景シートが載置される背景シート載置部材と、前記背景シート載置部材が摺動可能な基台と、前記背景シート載置部材の摺動位置上部で前記基台に保持される押圧部材と、前記背景シート載置部材の上方で、初期位置における前記背景シート載置部材の摺動方向にある押圧部材の後方位置に配置される透明シート載置部材と、を備え、前記押圧部材は、摺動する前記背景シート載置部材との間隔を前記背景シートと前記透明シートとを圧着可能な一定の間隔で前記基台に保持される。
【手続補正６】
【補正対象書類名】明細書
【補正対象項目名】０００７
【補正方法】変更
【補正の内容】
【０００７】  前記基台は、前記背景シート載置部材が摺動可能な一対のレールを有し、前記押圧部材は、前記一対のレールを跨いで前記基台に保持されることが好ましい。
【手続補正７】
【補正対象書類名】明細書
【補正対象項目名】０００８
【補正方法】変更
【補正の内容】
【０００８】  前記背景シート載置部材は、前記背景シートの保持位置を少なくとも１サイズのシートについて特定する位置決め部を備えることが好ましい。
【手続補正８】
【補正対象書類名】明細書
【補正対象項目名】０００９
【補正方法】変更
【補正の内容】
【０００９】  前記背景シート上への前記透明シートの供給位置が、前記押圧部材の直前位置で前記位置決め部の位置であることが好ましい。
【手続補正９】
【補正対象書類名】明細書
【補正対象項目名】００１０
【補正方法】変更
【補正の内容】
【００１０】前記背景シート載置部材は、摺動方向の先端位置に取っ手を備えることが好ましい。
【手続補正１０】
【補正対象書類名】明細書
【補正対象項目名】００１１
【補正方法】変更
【補正の内容】
【００１１】  前記押圧部材の支軸は、初期位置の前記背景シート載置部材の取っ手より摺動方向の後端側に配置されることが好ましい。
【手続補正１１】
【補正対象書類名】明細書
【補正対象項目名】００１２
【補正方法】変更
【補正の内容】
【００１２】  前記押圧部材には、上方へ突出した保持レバーが備えられることが好ましい。
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】変更
【補正の内容】
【００２３】  本発明の玩具によれば、正確な位置合わせができ、常に安定的に、かつ、容易に、透明シートと背景シートとを圧着できる玩具を提供することが可能となる。
【手続補正２３】
【補正対象書類名】明細書
【補正対象項目名】００２４
【補正方法】変更
【補正の内容】
【００２４】
【図１】（ａ）は本発明に係わる玩具で透明シートと背景シートを基台に載置した状態の概略斜視図、（ｂ）は本発明に係わる玩具の押圧時の概略斜視図である。
【図２】図１(ａ)における押圧部材を備えた基台の詳細を示す斜視図である。
【図３】図１(ａ)における背景シート載置部材の詳細を示す部分斜視図である。
【図４】図１(ａ)で示した基台上で背景シート載置部材の初期位置の詳細配置を示す斜視図である。
【図５】図４の押圧部材付近の断面図である。
【図６】図５の押圧部材を押圧位置に回動した状態を示す断面図である。
【図７】(ａ)は装飾シールが挟持された作成後の下敷きの正面図、(ｂ)は下敷きに立体視を与える透明シートの断面図である。
【手続補正２４】
【補正対象書類名】明細書
【補正対象項目名】００２５
【補正方法】変更
【補正の内容】
【００２５】  以下、本発明に係わる玩具の好ましい実施形態について、図面を参照しながら説明する。  図１（ａ）は本発明に係わる玩具で透明シートと背景シートを基台に載置した状態の概略斜視図、（ｂ）は本発明に係わる玩具の押圧時の概略斜視図である。  本発明の玩具１は、基台１０と、基台１０上に摺動可能で背景シートＰを載置する背景シート載置部材３０と、背景シート載置部材３０の上方位置で基台１０に保持される透明シート載置部材４０とから構成される。
【手続補正２５】
【補正対象書類名】明細書
【補正対象項目名】００４６
【補正方法】変更
【補正の内容】
【００４６】本発明は、透明シートと背景シートとを圧着する玩具であって、正確な位置合わせができ、常に安定的に、かつ、容易に、透明シートと背景シートとを圧着することが可能となる。
【手続補正２６】
【補正対象書類名】明細書
【補正対象項目名】００４７
【補正方法】変更
【補正の内容】
【００４７】  １    玩具  １０  基台  １４  レール  １６  軸受け  ２０  押圧部材  ２２  初期位置決め部  ３０  背景シート載置部材  ３２  切り欠き  ３８  取っ手  ４０  透明シート載置部材  ４２  回転ローラ  Ｐ    背景シート  Ｓ    透明シート